(57)【特許請求の範囲】
【請求項１】
部品実装用設備に接続して設けられた設備側データ編集部と前記部品実装用設備とは非接続の非設備側データ編集部との間でデータ媒体を通じて前記部品実装用設備の生産データのやり取りを行う部品実装用生産データ交換方法であって、
前記設備側データ編集部及び前記非設備側データ編集部のうち、前記生産データを編集した側が、編集した前記生産データとともに、その生産データの編集に用いた編集用ソフトウェアのバージョン情報を前記データ媒体に書き込むバージョン情報書き込み工程と、
前記設備側データ編集部及び前記非設備側データ編集部のうち、前記データ媒体を通じて前記生産データを受け取る側が、前記データ媒体に書き込まれた前記編集用ソフトウェアのバージョン情報と自身が備える前記編集用ソフトウェアのバージョン情報を読み出すバージョン情報読み出し工程と、
前記バージョン情報読み出し工程で読み出した、前記データ媒体に書き込まれた前記編集用ソフトウェアのバージョンと前記生産データを受け取る側が備える前記編集用ソフトウェアのバージョンとを照合し、これら両バージョンが同一であるか否かのチェックを行うチェック工程とを含み、
前記生産データの編集に用いる編集用ソフトウェアは前記設備側データ編集部において優先的にバージョンアップされるようになっており、前記設備側データ編集部は、前記バージョン情報書き込み工程を実行する際、自身が備える前記編集用ソフトウェアのインストール用ファイルを前記データ媒体に書き込み、前記非設備側データ編集部は、前記チェック工程を実行した結果、前記設備側データ編集部によって前記データ媒体に書き込まれた前記編集用ソフトウェアのバージョンと前記非設備側データ編集部が備える前記編集用ソフトウェアのバージョンとが同一でなかった場合に、前記インストール用ファイルを用いて、自身が備える編集用ソフトウェアを前記設備側データ編集部が備える前記編集用ソフトウェアに書き換えることを特徴とする部品実装用生産データ交換方法。
【請求項２】
前記非設備側データ編集部は、前記チェック工程を実行した結果、前記設備側データ編集部によって前記データ媒体に書き込まれた前記編集用ソフトウェアのバージョンと前記非設備側データ編集部が備える前記編集用ソフトウェアのバージョンとが同一でなかった場合に警告を行い、前記非設備側データ編集部は、前記警告の後、自身が備える前記編集用ソフトウェアを前記設備側データ編集部が備える前記編集用ソフトウェアに書き換えることを特徴とする請求項１に記載の部品実装用生産データ交換方法。
【請求項３】
前記設備側データ編集部は、前記チェック工程を実行した結果、前記非設備側データ編集部によって前記データ媒体に書き込まれた前記編集用ソフトウェアのバージョンと前記設備側データ編集部が備える前記編集用ソフトウェアのバージョンとが同一でなかった場合に、前記非設備側データ編集部によって前記データ媒体に書き込まれた前記生産データを前記設備側データ編集部が備える前記編集用ソフトウェアのバージョンに対応するフォーマットの生産データにコンバートすることを特徴とする請求項１又は２に記載の部品実装用生産データ交換方法。
【請求項４】
前記非設備側データ編集部によって前記データ媒体に書き込まれた前記生産データを前記設備側データ編集部が備える前記編集用ソフトウェアのバージョンに対応するフォーマットの生産データにコンバートするコンバート用プログラムを前記設備側データ編集部が備える設備側記憶部に保存したことを特徴とする請求項３に記載の部品実装用生産データ交換方法。
【発明の詳細な説明】
【技術分野】
【０００１】
本発明は、部品実装用設備と接続した設備側データ編集部と部品実装用設備とは非接続の非設備側データ編集部との間でデータ媒体を通じて部品実装用設備の生産データのやり取りを行う部品実装用生産データ交換方法に関するものである。
【背景技術】
【０００２】
部品実装機等の部品実装用設備では、予め編集された生産データに基づいて実装プログラムを動作させ、基板に部品を装着する作業を実行する。このような部品実装用設備では、部品実装作業に用いる生産データは従来、その部品実装用設備に接続して設けられた設備側データ編集装置によって作業者により編集されていた（例えば、特許文献１参照）。この設備側データ編集部において、生産データの編集作業を行うための編集用ソフトウェアがバージョンアップ（更新）されると、これに伴って生産データのフォーマットが変わることがあるが、部品実装用設備が備える生産プログラムの方もその変更したフォーマットの生産データに対応したものに変更されるため、特に問題が生じることはない。
【０００３】
一方、上記部品実装用設備において、生産データの編集作業を行う際には、部品実装作業を中断しなければならず、部品実装作業と生産データの編集作業を同時並行的に行うことができないという難点があった。この点を解決する方法として、部品実装用設備とは非接続（オフライン）であるが、設備側データ編集部と同じ編集用ソフトウェアを備えたパーソナルコンピュータ等の非設備側データ編集部から生産データの編集を行い、ここで編集した生産データをＳＤカードのようなデータ媒体に書き込んで部品実装用設備側に移植することが考えられる。
【先行技術文献】
【特許文献】
【０００４】
【特許文献１】特開平９−３０９０３４号公報
【発明の概要】
【発明が解決しようとする課題】
【０００５】
しかしながら、部品実装用設備側の編集用ソフトウェアのみをバージョンアップした場合には、非設備側データ編集部が備える編集用ソフトウェアは相対的に旧バージョンになってしまい、その後非設備側データ編集部で編集した生産データは旧バージョンのフォーマットで編集されたものとなって部品実装用設備側ではそのまま用いることができず、生産データを編集し直さなければならない場合があるという問題点があった。また、非設備側データ編集部の旧バージョンの編集用ソフトウェアでは、設備側データ編集部で作成した生産データを正常に読むことができないという問題点もあった。
【０００６】
そこで本発明は、非設備側データ編集部で編集した生産データを部品実装用設備側で常に使用できるようにすることができる部品実装用生産データ交換方法を提供することを目的とする。
【課題を解決するための手段】
【０００７】
請求項１に記載の部品実装用生産データ交換方法は、部品実装用設備に接続して設けられた設備側データ編集部と前記部品実装用設備とは非接続の非設備側データ編集部との間でデータ媒体を通じて前記部品実装用設備の生産データのやり取りを行う部品実装用生産データ交換方法であって、前記設備側データ編集部及び前記非設備側データ編集部のうち、前記生産データを編集した側が、編集した前記生産データとともに、その生産データの編集に用いた編集用ソフトウェアのバージョン情報を前記データ媒体に書き込むバージョン情報書き込み工程と、前記設備側データ編集部及び前記非設備側データ編集部のうち、前記データ媒体を通じて前記生産データを受け取る側が、前記データ媒体に書き込まれた前記編集用ソフトウェアのバージョン情報と自身が備える前記編集用ソフトウェアのバージョン情報を読み出すバージョン情報読み出し工程と、前記バージョン情報読み出し工程で読み出した、前記データ媒体に書き込まれた前記編集用ソフトウェアのバージョンと前記生産データを受け取る側が備える前記編集用ソフトウェアのバージョンとを照合し、これら両バージョンが同一であるか否かのチェックを行うチェック工程とを含み、前記生産データの編集に用いる編集用ソフトウェアは前記設備側データ編集部において優先的にバージョンアップされるようになっており、前記設備側データ編集部は、前記バージョン情報書き込み工程を実行する際、自身が備える前記編集用ソフトウェアのインストール用ファイルを前記データ媒体に書き込み、前記非設備側データ編集部は、前記チェック工程を実行した結果、前記設備側データ編集部によって前記データ媒体に書き込まれた前記編集用ソフトウェアのバージョンと前記非設備側データ編集部が備える前記編集用ソフトウェアのバージョンとが同一でなかった場合に、前記インストール用ファイルを用いて、自身が備える編集用ソフトウェアを前記設備側データ編集部が備える前記編集用ソフトウェアに書き換える。
【０００８】
請求項２に記載の部品実装用生産データ交換方法は、請求項１に記載の部品実装用生産データ交換方法であって、前記非設備側データ編集部は、前記チェック工程を実行した結果、前記設備側データ編集部によって前記データ媒体に書き込まれた前記編集用ソフトウェアのバージョンと前記非設備側データ編集部が備える前記編集用ソフトウェアのバージョンとが同一でなかった場合に警告を行い、前記非設備側データ編集部は、前記警告の後、自身が備える前記編集用ソフトウェアを前記設備側データ編集部が備える前記編集用ソフトウェアに書き換える。
【０００９】
請求項３に記載の部品実装用生産データ交換方法は、請求項１又は２に記載の部品実装用生産データ交換方法であって、前記設備側データ編集部は、前記チェック工程を実行した結果、前記非設備側データ編集部によって前記データ媒体に書き込まれた前記編集用ソフトウェアのバージョンと前記設備側データ編集部が備える前記編集用ソフトウェアのバージョンとが同一でなかった場合に、前記非設備側データ編集部によって前記データ媒体に書き込まれた前記生産データを前記設備側データ編集部が備える前記編集用ソフトウェアのバージョンに対応するフォーマットの生産データにコンバートする。
【００１０】
請求項４に記載の部品実装用生産データ交換方法は、請求項３に記載の部品実装用生産データ交換方法であって、前記非設備側データ編集部によって前記データ媒体に書き込まれた前記生産データを前記設備側データ編集部が備える前記編集用ソフトウェアのバージョンに対応するフォーマットの生産データにコンバートするコンバート用プログラムを前記設備側データ編集部が備える設備側記憶部に保存した。
【発明の効果】
【００１１】
本発明では、設備側データ編集部及び非設備側データ編集部のうち、生産データを編集した側が、編集した生産データとともに、その生産データの編集に用いた編集用ソフトウェアのバージョン情報をデータ媒体に書き込み、設備側データ編集部及び非設備側データ編集部のうち、データ媒体を通じて生産データを受け取る側は、データ媒体に書き込まれた編集用ソフトウェアのバージョン情報と、自身が備える編集用ソフトウェアのバージョンと照合してこれら両バージョンが同一であるか否かのチェックを行うようになっており、両バージョンが同一でない場合には非設備側データ編集部側の編集用ソフトウェアで編集した生産データが設備側データ編集部側の編集用ソフトウェアで編集した生産データとフォーマットが合致するような適切な措置をとることができるので、非設備側データ編集部で編集した生産データを部品実装用設備側で常に使用できるようにすることができる。また、非設備側データ編集部の編集用ソフトウェアで、設備側データ編集部で作成した生産データを正常に読み込んで編集することもできる。
【図面の簡単な説明】
【００１２】
【図１】本発明の一実施の形態における部品実装用生産データ交換方法の概念図
【図２】本発明の一実施の形態における部品実装用生産データ交換方法の概念図
【図３】本発明の一実施の形態における部品実装用設備側の生産データ編集作業の手順を示すフローチャート
【図４】本発明の一実施の形態におけるデータ編集用ＰＣ側の生産データ編集作業の手順を示すフローチャート
【図５】本発明の一実施の形態におけるデータ編集用ＰＣ側の生産データ編集作業の手順を示すフローチャート
【図６】本発明の一実施の形態における部品実装用設備側の生産データ編集作業の手順を示すフローチャート
【発明を実施するための形態】
【００１３】
以下、本発明の実施の形態について説明する。図１及び図２には、基板に部品を実装する部品実装機等の部品実装用設備１において用いる生産データを、部品実装用設備１に接続して設けられた設備側データ編集部１１と、部品実装用設備１とは非接続（オフライン）の非設備側データ編集部としてのパーソナルコンピュータ（以下、データ編集用ＰＣ１２と称する）との間でＳＤカードのようなデータ媒体１３を通じてやり取りする部品実装用生産データ交換方法の概念を示している。図１は設備側データ編集部１１が備える編集用ソフトウェア（設備側編集ソフト１１ｆと称する）を用いて編集した生産データをデータ媒体１３に書き込んでその生産データをデータ編集用ＰＣ１２に受け渡す場合の例（第１のケース）を示すものであり、図２はデータ編集用ＰＣ１２が備える編集用ソフトウェア（ＰＣ側編集ソフト１２ｆと称する）を用いて編集した生産データをデータ媒体１３に書き込んでその生産データを設備側データ編集部１１に受け渡す場合の例（第２のケースと称する）を示すものである。
【００１４】
部品実装用設備１は、設備側データ編集部１１が備える制御部（図１及び図２に示す設備側制御部１１Ｃ）が、設備側データ編集部１１が備える記憶部（図１及び図２に示す設備側記憶部１１ｍ）に書き込まれている生産データを読み出して部品実装作業を実行する。この部品実装用設備１の部品実装作業で用いられる生産データは、作業者が設備側データ編集部１１で編集作業を行えるほか、データ編集用ＰＣ１２でも編集作業を行うことができる。設備側編集ソフト１１ｆとＰＣ側編集ソフト１２ｆとは同じ編集用ソフトウェアであるが、この編集用ソフトウェアは設備側編集ソフト１１ｆに対して優先的にバージョンアップされるため、ＰＣ側編集ソフト１２ｆは設備側編集ソフト１１ｆよりもバージョンが低い場合があり得るものとする。
【００１５】
作業者が設備側データ編集部１１で生産データの編集を行った場合、編集後の生産データは設備側記憶部１１ｍに書き込まれるほか、設備側データ編集部１１にデータのやり取りが可能な状態に取付けられたデータ媒体１３にも書き込まれる。編集後の生産データが設備側記憶部１１ｍに書き込まれることによって、部品実装用設備１は編集後の生産データによる部品実装作業が可能となる。また、編集後の生産データがデータ媒体１３に書き込まれることによって、設備側データ編集部１１で編集した生産データをデータ編集用ＰＣ１２に読み取らせることが可能となる（図１）。
【００１６】
一方、作業者がデータ編集用ＰＣ１２で生産データの編集を行った場合、編集後の生産データはデータ編集用ＰＣ１２自身が備える記憶部（図１及び図２に示すＰＣ側記憶部１２ｍと称する）に書き込まれるほか、データ編集用ＰＣ１２にデータのやり取りが可能な状態に取付けられたデータ媒体１３にも書き込まれる。編集後の生産データがデータ媒体１３に書き込まれることによって、データ編集用ＰＣ１２で編集した生産データを設備側データ編集部１１に読み取らせることが可能となる（図２）。
【００１７】
作業者は通常、部品実装用設備１による部品実装作業が行われていないときには設備側データ編集部１１で生産データの編集作業を行い、部品実装用設備１による部品実装作業が行われているときには、データ編集用ＰＣ１２で生産データの編集作業を行う。
【００１８】
図１に示す第１のケースにおいて、作業者により設備側データ編集部１１で生産データの編集が行われる場合、図３のフローチャートに示すように、設備側制御部１１Ｃは、設備側記憶部１１ｍから生産データを読み出すとともに（ステップＳＴ１１）、設備側編集ソフト１１ｆを立ち上げて生産データの編集画面を表示する（ステップＳＴ１２）。そして、作業者による生産データの編集が終了して所定の操作がなされたら、編集後の生産データを設備側記憶部１１ｍとデータ媒体１３の双方に書き込むほか（ステップＳＴ１３）、設備側編集ソフト１１ｆのバージョン情報をデータ媒体１３に書き込み（ステップＳＴ１４。バージョン情報書き込み工程）、更に、現在使用している設備側編集ソフト１１ｆのインストール用ファイルをデータ媒体１３に書き込む（ステップＳＴ１５。インストール用ファイル書き込み工程）。
【００１９】
作業者によりデータ編集用ＰＣ１２で生産データの編集が行われる場合、図４のフローチャートに示すように、データ編集用ＰＣ１２の制御部（図１及び図２に示すＰＣ側制御部１２Ｃ）は、前述のインストール用ファイル書き込み工程の後、設備側データ編集部１１側から受け取ったデータ媒体１３から設備側編集ソフト１１ｆのバージョン情報を読み出すとともに、ＰＣ側記憶部１２ｍからＰＣ側編集ソフト１２ｆのバージョン情報を読み出して（ステップＳＴ２１及びステップＳＴ２２。バージョン情報読み出し工程）、データ媒体１３に書き込まれた編集用ソフトウェア（設備側編集ソフト１１ｆ）のバージョンとＰＣ側編集ソフト１２ｆのバージョンとを照合し、これら両バージョンが同一であるか否かのチェックを行う（ステップＳＴ２３。チェック工程）。
【００２０】
データ編集用ＰＣ１２は、ステップＳＴ２３におけるチェックの結果、設備側編集ソフト１１ｆとＰＣ側編集ソフト１２ｆのバージョンが同一でなかった場合には、データ編集用ＰＣ１２が備えるディスプレイ装置（図示せず）を通じて、作業者に文字や音声等の警告を行う（ステップＳＴ２４。警告工程）。そして、作業者がこの警告に従って所定のバージョンアップ操作を行った場合には（ステップＳＴ２５。操作工程）、ＰＣ側制御部１２Ｃは、データ媒体１３からインストール用ファイルを読み出して、現在のＰＣ側編集ソフト１２ｆを設備側編集ソフト１１ｆに書き換えるバージョンアップを実行し（ステップＳＴ２６。バージョンアップ工程）、そのうえで、データ媒体１３から生産データを読み出す（ステップＳＴ２７）。一方、ステップＳＴ２３におけるチェックの結果、設備側編集ソフト１１ｆとＰＣ側編集ソフト１２ｆのバージョンが同一であった場合には、上記ステップＳＴ２４〜ステップＳＴ２６をスキップして、データ媒体１３から生産データを読み出す（ステップＳＴ２７）。
【００２１】
ＰＣ側制御部１２Ｃは、ステップＳＴ２７でデータ媒体１３から生産データを読み出したら、ＰＣ側編集ソフト１２ｆを立ち上げて生産データの編集画面を表示する（ステップＳＴ２８）。そして、作業者による生産データの編集が終了して所定の操作がなされたら、編集後の生産データをＰＣ側記憶部１２ｍとデータ媒体１３の双方に書き込むほか（ステップＳＴ２９）、ＰＣ側編集ソフト１２ｆのバージョン情報をデータ媒体１３に書き込む（ステップＳＴ３０。バージョン情報書き込み工程）。
【００２２】
上記の警告工程が実行されると、作業者は両バージョンが同一でないことを知ることができるので、その後、適切な措置（具体的にはステップＳＴ２５の操作工程を経たステップＳＴ２６のバージョンアップ工程）をとることができる。また、上記のバージョンアップ工程が実行されると、ＰＣ側編集ソフト１２ｆが設備側編集ソフト１１ｆのバージョンよりも低かった場合であっても、ＰＣ側編集ソフト１２ｆは設備側編集ソフト１１ｆと同バージョンに引き上げられることになるので、バージョンアップ後のＰＣ側編集ソフト１２ｆで編集した生産データは必ず設備側データ編集部１１が備える編集用ソフトウェア（設備側編集ソフト１１ｆ）に対応するフォーマットの生産データとなる。このため、この生産データを部品実装用設備１に移植すれば、その生産データを用いて部品実装用設備１に部品実装作業を行わせることが可能となる。
【００２３】
一方、図２に示す第２のケースにおいて、作業者によりデータ編集用ＰＣ１２で生産データの編集が行われる場合、図５のフローチャートに示すように、ＰＣ側制御部１２Ｃは、ＰＣ側記憶部１２ｍから生産データを読み出した後（ステップＳＴ３１）、ＰＣ側編集ソフト１２ｆを立ち上げて生産データの編集画面を表示する（ステップＳＴ３２）。そして、作業者による生産データの編集が終了して所定の操作がなされたら、編集後の生産データをＰＣ側記憶部１２ｍとデータ媒体１３の双方に書き込むほか（ステップＳＴ３３）、ＰＣ側編集ソフト１２ｆのバージョン情報をデータ媒体１３に書き込む（ステップＳＴ３４。バージョン情報書き込み工程）。
【００２４】
上記第１のケースと第２のケースにおいて、データ編集用ＰＣ１２で編集された生産データを設備側データ編集部１１で読み取る場合、図６のフローチャートに示すように、設備側制御部１１Ｃは、前述のステップＳＴ３０又はステップＳＴ３４の後に移設されたデータ媒体１３から、データ編集用ＰＣ１２で編集された生産データを読み出す（ステップＳＴ４１）。そして、更に、データ媒体１３からＰＣ側編集ソフト１２ｆのバージョン情報を読み出すとともに、設備側記憶部１１ｍから設備側編集ソフト１１ｆのバージョン情報を読み出し（ステップＳＴ４２及びステップＳＴ４３。バージョン情報読み出し工程）、データ媒体１３に書き込まれた編集用ソフトウェア（ＰＣ側編集ソフト１２ｆ）のバージョンと設備側編集ソフト１１ｆのバージョンとを照合し、これら両バージョンが同一であるか否かのチェックを行う（ステップＳＴ４４。チェック工程）。
【００２５】
設備側データ編集部１１は、ステップＳＴ４４におけるチェックの結果、設備側編集ソフト１１ｆとＰＣ側編集ソフト１２ｆのバージョンが同一でなかった場合には、設備側記憶部１１ｍに予め保存したおいたコンバート用プログラム１１ｐ（図１）を用いて、データ媒体１３から読み出した生産データ（データ編集用ＰＣ１２で編集された生産データ）を設備側編集ソフト１１ｆに対応したバージョンの生産データにコンバートする（ステップＳＴ４５。コンバート工程）。そして、設備側編集ソフト１１ｆを立ち上げて生産データの編集画面を表示し（ステップＳＴ４６）、その後、作業者による生産データの編集が終了して所定の操作がなされたら、編集後の生産データを設備側記憶部１１ｍとデータ媒体１３の双方に書き込むほか（ステップＳＴ４７）、設備側編集ソフト１１ｆのバージョン情報をデータ媒体１３に書き込む（ステップＳＴ４８。バージョン情報書き込み工程）。
【００２６】
上記コンバート工程によって、データ媒体１３から読み出した生産データがコンバートされると、仮にバージョンの低いＰＣ側編集ソフト１２ｆで生産データの編集が行われた場合であっても、その生産データは設備側編集ソフト１１ｆに対応したバージョンに変換されることとなるので、そのまま部品実装用設備１における部品実装作業に使用することが可能となる。
【００２７】
上述のように、本実施の形態における部品実装用生産データ交換方法では、部品実装用設備１に接続して設けられた設備側データ編集部１１と部品実装用設備１とは非接続の非設備側データ編集部であるデータ編集用ＰＣ１２との間でデータ媒体１３を通じて部品実装用設備１の生産データのやり取りを行うデータ交換の際に、設備側データ編集部１１及びデータ編集用ＰＣ１２のうち、生産データを編集した側が、編集した生産データとともに、その生産データの編集に用いた編集用ソフトウェアのバージョン情報をデータ媒体１３に書き込むようになっている（ステップＳＴ１４、ステップＳＴ３０、ステップＳＴ３４又はステップＳＴ４８のバージョン情報書き込み工程）。そして、設備側データ編集部１１及びデータ編集用ＰＣ１２のうち、データ媒体１３を通じて生産データを受け取る側が、データ媒体１３に書き込まれた編集用ソフトウェアのバージョン情報と自身が備える編集用ソフトウェアのバージョン情報を読み出し（ステップＳＴ２１とステップＳＴ２２又はステップＳＴ４２とステップＳＴ４３のバージョン情報読み出し工程）、これらデータ媒体１３に書き込まれた編集用ソフトウェアのバージョンと生産データを受け取る側が備える編集用ソフトウェアのバージョンとを照合して、両バージョンが同一であるか否かのチェックを行うようになっている（ステップＳＴ２３又はステップＳＴ４４のチェック工程）。
【００２８】
このような部品実装用生産データの交換方法では、設備側編集ソフト１１ｆのバージョンとＰＣ側編集ソフト１２ｆのバージョンが同一でない場合にはこれを的確に検知することができ、両バージョンが同一でない場合には、ＰＣ側編集ソフト１２ｆで編集した生産データのフォーマットが設備側編集ソフト１１ｆで編集した生産データのフォーマットと合致するような適切な措置（上述の例では、ＰＣ側編集ソフト１２ｆの設備側編集ソフト１１ｆへの書き換え（バージョンアップ）又はデータ編集用ＰＣ１２により編集した生産データの設備側編集ソフト１１ｆのバージョンに対応するフォーマットへのコンバート）をとることによって、データ編集用ＰＣ１２で編集した生産データを部品実装用設備１側で常に使用できるようにすることが可能である。また、データ編集用ＰＣ１２の設備側編集ソフト１１ｆ（非設備側データ編集部の編集用ソフトウェア）で、設備側データ編集部１１で作成した生産データを正常に読み込んで編集することもできる。
【００２９】
また、本実施の形態における部品実装用生産データ交換方法では、設備側データ編集部１１は、バージョン情報書き込み工程（ステップＳＴ１４）を実行する際、自身が備える編集用ソフトウェア（設備側編集ソフト１１ｆ）のインストール用ファイルをデータ媒体１３に書き込むようになっている（ステップＳＴ１５のインストール用ファイル書き込み工程）。そして、データ編集用ＰＣ１２は、チェック工程（ステップＳＴ２３）を実行した結果、設備側データ編集部１１によってデータ媒体１３に書き込まれた設備側編集ソフト１１ｆのバージョンとＰＣ側編集ソフト１２ｆのバージョンとが同一でなかった場合に警告を行うので（ステップＳＴ２４の警告工程）、作業者は適切な措置をとることができる。更には、その警告の後、作業者の所定の操作を待って（ステップＳＴ２５の操作工程）、設備側データ編集部１１によってデータ媒体１３に書き込まれた設備側編集ソフト１１ｆのインストール用ファイルを用いてＰＣ側編集ソフト１２ｆのバージョンアップを実行するようになっている（ステップＳＴ２６のバージョンアップ工程）。これにより、ＰＣ側編集ソフト１２ｆが設備側編集ソフト１１ｆのバージョンよりも低かった場合であっても、ＰＣ側編集ソフト１２ｆを設備側編集ソフト１１ｆと同バージョンに引き上げることができ、編集後の生産データを設備側編集ソフト１１ｆに対応するフォーマットの生産データとすることができる。
【００３０】
更に、本実施の形態における部品実装用生産データ交換方法では、設備側データ編集部１１は、チェック工程（ステップＳＴ４４）を実行した結果、データ編集用ＰＣ１２によってデータ媒体１３に書き込まれたＰＣ側編集ソフト１２ｆのバージョンと自身が備える設備側編集ソフト１１ｆのバージョンとが同一でなかった場合に、データ編集用ＰＣ１２によってデータ媒体１３に書き込まれた生産データを自身が備える編集用ソフトウェア（設備側編集ソフト１１ｆ）のバージョンに対応するフォーマットの生産データにコンバートするようになっている（ステップＳＴ４５のコンバート工程）。これにより、仮にバージョンの低いＰＣ側編集ソフト１２ｆで生産データの編集が行われた場合であっても、その生産データは設備側編集ソフト１１ｆに対応したバージョンに変換されることとなるので、そのまま部品実装用設備１における部品実装作業に使用することができる。
【００３１】
なお、上述の実施の形態では、ステップＳＴ２３又はステップＳＴ４４のチェック工程で行う２つのバージョンの照合結果はデータ編集用ＰＣ１２又は設備側データ編集部１１が自動で下す構成になっていたが、これはデータ編集用ＰＣ１２又は設備側データ編集部１１が、照合する２つのバージョン情報をディスプレイ装置等に表示し、これを作業者が目視により確認して照合結果を下すようになっていてもよい。また、本実施の形態では、データ媒体１３にデータを書き込んで移動させる必要があることから、データ媒体１３を紛失したとき等におけるセキュリティを考慮して、生産データや編集ソフトのバージョン情報等の各データは暗号を付したうえでデータ媒体１３に書き込むようにすることが好ましい。
【産業上の利用可能性】
【００３２】
非設備側データ編集部で編集した生産データを部品実装用設備側で常に使用できるようにすることができる部品実装用生産データ交換方法を提供する。
【符号の説明】
【００３３】
１  部品実装用設備
１１  設備側データ編集部
１１ｆ  設備側編集ソフト（編集用ソフトウェア）
１２  データ編集用ＰＣ（非設備側データ編集部）
１２ｆ  ＰＣ側編集ソフト（編集用ソフトウェア）
１３  データ媒体
【図１】
0005978462.tif 000002
【図２】
0005978462.tif 000003
【図３】
0005978462.tif 000004
【図４】
0005978462.tif 000005
【図５】
0005978462.tif 000006
【図６】
0005978462.tif 000007